(57)【要約】      （修正有）【課題】簡易な構成で、ＳＡＲを低減できるアンテナ装置及び電子機器を提供すること。【解決手段】アンテナ装置２０は、プリント基板３１の表面（＋Ｙ方向の面）にグランド３０及びアンテナ素子２１がプリントされるとともに、プリント基板の裏面（−Ｙ方向の面）にアンテナ素子に対して並列配置される無給電の共振アンテナ素子２２がプリントされる。各共振アンテナ素子は、アンテナ素子の長手方向（Ｚ方向）の軸に対して対称配置される。各共振アンテナ素子の長さＬ２は、アンテナ素子の長さＬ１とほぼ同じであるが、各共振アンテナ素子は無給電素子であるため、各共振アンテナ素子の長さは、共振条件を考慮してアンテナ素子の長さと異なる長さとなる。【選択図】図３
2020036187.tif 000002
【特許請求の範囲】
【請求項１】
給電されるアンテナ素子と、
前記アンテナ素子と互いの長手方向同士が略平行に配置され、前記アンテナ素子と共振可能な少なくとも１つの共振アンテナ素子と、
を備えることを特徴とするアンテナ装置。
【請求項２】
前記共振アンテナ素子は給電されない構成であることを特徴とする請求項１に記載のアンテナ装置。
【請求項３】
少なくとも２つの前記共振アンテナ素子を備え、
前記少なくとも２つの共振アンテナ素子は、前記アンテナ素子の前記長手方向に垂直な方向に沿って前記アンテナ素子を挟むように配置されることを特徴とする請求項１または２に記載のアンテナ装置。
【請求項４】
前記共振アンテナ素子は、前記アンテナ素子の長手方向の中心に対して中心をずらして配置されることを特徴とする請求項３に記載のアンテナ装置。
【請求項５】
前記共振アンテナ素子は、前記アンテナ素子の前記長手方向の軸に対して対称に配置されることを特徴とする請求項３または４に記載のアンテナ装置。
【請求項６】
前記アンテナ素子は、モノポールアンテナ素子であることを特徴とする請求項１〜５のいずれか一つに記載のアンテナ装置。
【請求項７】
請求項１〜６のいずれか一つに記載のアンテナ装置を備えることを特徴とする電子機器。
【発明の詳細な説明】
【技術分野】
【０００１】
本発明は、簡易な構成でＳＡＲ（Ｓｐｅｃｉｆｉｃ  Ａｂｓｏｒｐｔｉｏｎ  Ｒａｔｅ）を低減できるアンテナ装置及び電子機器に関する。
【背景技術】
【０００２】
携帯電話や情報処理装置等のように人体に接近した状態で使用される無線通信機器の普及を考慮し、多くの国では人体に吸収される電波の電力量の指標であるＳＡＲの許容量について基準を定めている。ＳＡＲは、単位質量の人体組織に単位時間に吸収されるエネルギーを意味し、周波数が高くなるほど人体に対する影響（吸収率）が大きい。
【先行技術文献】
【特許文献】
【０００３】
【特許文献１】特開２０１５−１１４７１８号公報
【発明の概要】
【発明が解決しようとする課題】
【０００４】
ノートブック型パーソナルコンピュータ（ノート型ＰＣ）やタブレット型パーソナルコンピュータ（タブレット型ＰＣ）のような携帯用情報機器ではＳＡＲに関する要求が厳しいことがある。例えばノート型ＰＣやタブレット型ＰＣを使用者の膝の上に載せて使用する場合、それらのＰＣのアンテナ装置を搭載する筐体と、使用者の膝や腹部等が接触又は接近する可能性がある。
【０００５】
その場合、人体へのＳＡＲの影響を考慮してアンテナ装置の送信電力を下げたり、人体を検出した場合にアンテナ装置による送信を停止したりすると、通信のパフォーマンスに影響を与えることになる。また、アンテナ装置と人体との間の距離をとるように電子機器の筐体構造を変更すると、筐体のサイズを大きくせざるを得ない。
【０００６】
本発明は、上記に鑑みてなされたものであって、簡易な構成でＳＡＲを低減できるアンテナ装置及び電子機器を提供することを目的とする。
【課題を解決するための手段】
【０００７】
上述した課題を解決し、目的を達成するために、本発明の第１態様にかかるアンテナ装置は、給電されるアンテナ素子と、前記アンテナ素子と互いの長手方向同士が略平行に配置され、前記アンテナ素子と共振可能な少なくとも１つの共振アンテナ素子と、を備える。
【０００８】
また、前記共振アンテナ素子は給電されない構成である。
【０００９】
また、上記態様にかかるアンテナ装置は、少なくとも２つの前記共振アンテナ素子を備え、前記少なくとも２つの共振アンテナ素子は、前記アンテナ素子の前記長手方向に垂直な方向に沿って前記アンテナ素子を挟むように配置されてもよい。
【００１０】
また、前記共振アンテナ素子は、前記アンテナ素子の長手方向の中心に対して中心をずらして配置されてもよい。
【００１１】
また、前記共振アンテナ素子は、前記アンテナ素子の前記長手方向の軸に対して対称に配置されてもよい。
【００１２】
また、前記アンテナ素子は、モノポールアンテナ素子であってもよい。
【００１３】
また、本発明の第２態様にかかる電子機器は、上記第１態様に係るアンテナ装置を備える。
【発明の効果】
【００１４】
本発明の上記態様によれば、簡易な構成でＳＡＲを低減できるアンテナ装置及び電子機器を提供できる。
【図面の簡単な説明】
【００１５】
【図１】図１は、本発明の一実施形態に係るアンテナ装置を備えた電子機器１０の斜視図である。
【図２】図２は、アンテナ装置の概念を示す説明図である。
【図３】図３は、具体的なアンテナ装置の構成を示す図である。
【図４】図４は、図３に示したアンテナ装置に対してさらに共振アンテナ素子を追加したアンテナ装置の構成を示す図である。
【発明を実施するための形態】
【００１６】
以下、本発明に係るアンテナ装置について好適な実施の形態を挙げ、添付の図面を参照しながら詳細に説明する。
【００１７】
＜電子機器の概要＞
図１は、本発明の一実施形態に係るアンテナ装置２０を備えた電子機器１０の斜視図である。なお、図１は、ヒンジ装置１２によってディスプレイ筐体１４を本体筐体１６から開いて電子機器１０をノート型ＰＣの使用形態とした状態を示している。
【００１８】
電子機器１０は、ディスプレイ筐体１４を本体筐体１６に対して閉じた０度位置から反転させた３６０度位置まで開閉可能に構成された、いわゆるコンバーチブル型ＰＣである。従って、電子機器１０は、ディスプレイ筐体１４を本体筐体１６に対して９０度前後の角度位置に回動させた状態ではノート型ＰＣとして好適に使用でき（図１参照）、ディスプレイ筐体１４を本体筐体１６に対して３６０度位置まで回動させて反転させた状態ではタブレット型ＰＣとして好適に使用できる。本実施の形態ではこのようなコンバーチブル型ＰＣ以外、例えばディスプレイ筐体が１８０度位置程度までしか回動しない一般的なノート型ＰＣ、１つの筐体にディスプレイ装置を設けたタブレット型ＰＣ、携帯電話、スマートフォン又は電子手帳等、各種電子機器に適用できる。
【００１９】
以下、図１に示すようにディスプレイ筐体１４を本体筐体１６から９０度程度に開いてノート型ＰＣの使用形態とした状態を基準とし、ディスプレイ筐体１４のヒンジ装置１２側を下側（下端）、その反対側を上側（上端）と呼んで説明する。また、本体筐体１６のヒンジ装置１２側を後側（後端）、その反対側を前側（前端）と呼び、ディスプレイ筐体１４及び本体筐体１６の幅方向をそれぞれ左側及び右側と呼んで説明する。
【００２０】
図１に示すように、電子機器１０は、ディスプレイ筐体１４の下端部１４ａと本体筐体１６の後端部１６ａとを左右一対のヒンジ装置１２によって回動可能に連結したものである。
【００２１】
ディスプレイ筐体１４は、その内面にディスプレイ装置１８が設けられている。ディスプレイ筐体１４は、ベゼル部材１９とカバー部材２４とを重ねて連結することで本体筐体１６よりも薄い平板形状の箱体に構成されている。
【００２２】
ディスプレイ装置１８は、例えばタッチパネル式の液晶表示装置によって構成される。ディスプレイ装置１８は、表示面１８ａ以外が金属や導電性フィルムで覆われている。
【００２３】
ベゼル部材１９は、樹脂製の枠状部材である。ベゼル部材１９は、ディスプレイ装置１８の周縁部を囲んで保持するものである。カバー部材２４は、樹脂製の板状部材の周縁部にベゼル部材１９側に起立する壁部を設けた構成である。カバー部材２４は、ディスプレイ筐体１４の側面及び背面を覆うものである。ディスプレイ筐体１４は、カバー部材２４にねじ止め固定されたヒンジ装置１２を介して本体筐体１６と連結される。ディスプレイ筐体１４は、ヒンジ装置１２を通過した図示しないケーブルにより本体筐体１６と電気的に接続される。
【００２４】
本体筐体１６は、平板形状に構成された箱体であり、その内面にキーボード装置２６やタッチパッド２７が設けられている。本体筐体１６は、その内部に図示しない基板、演算装置及びメモリ等の各種の電子部品が収納されている。キーボード装置２６は、例えばタッチパネル式の液晶表示装置に仮想キーボードを表示するソフトウェアキーボード等であってもよい。
【００２５】
本体筐体１６の右側端部の前側及び左側端部の前側の各内部には、アンテナ装置２０が左右一対に設けられている。また、本体筐体１６の後側端部にも、左右一対のアンテナ装置２０が設けられている。アンテナ装置２０は、例えば電子機器１０の無線ＬＡＮや無線ＷＡＮ等の各種無線通信用のアンテナである。なお、アンテナ装置２０は、図１に示すように、例えば、ディスプレイ筐体１４の上端部のベゼル部材１９に設けてもよい。ここで、アンテナ装置２０は、電子機器１０の使用中に、手などの人体に触れ易い位置に配置されている。
【００２６】
＜アンテナ装置の概念＞
次に、アンテナ装置２０の概念について説明する。図２は、アンテナ装置２０の概念を示す説明図である。なお、図２では、アンテナ装置２０の一例としてモノポールアンテナについて説明する。図２（ａ）に示すように、従来のアンテナ装置２０ａは、アンテナ素子２１がグランド３０に設置され、アンテナ素子２１への受給電により電磁波を送受信する。アンテナ素子２１から送信する場合には、アンテナ素子２１から電磁波が送信される。この場合、アンテナ素子２１近傍には大きな放射電力が発生する。
【００２７】
これに対し、本実施の形態のアンテナ装置２０では、図２（ｂ）に示すように、アンテナ素子２１の長手方向（Ｚ方向）に垂直な方向（Ｘ方向）に沿って、アンテナ素子２１を挟むように無給電の共振アンテナ素子２２が並列配置される。共振アンテナ素子２２は、アンテナ素子２１の共振に対して空間結合して共振し、電磁波を送信する。この結果、アンテナ素子２１の放射電力は、共振アンテナ素子２２に分散され、空間的に広がった、アンテナ素子２１及び共振アンテナ素子２２の全体から電磁波が送信される。これにより、アンテナ素子２１から放射される近接電磁界は抑えられ、送信電力を小さくせずとも、局所ＳＡＲを所定値以下にすることができる。
【００２８】
なお、アンテナ装置２０及びアンテナ装置２０ａの遠方電磁界強度は、アンテナ素子２１と共振アンテナ素子２２との間の結合ロス分の違いはあるものの、ほぼ同じとなり、アンテナ性能に大きな違いは生じない。
【００２９】
＜アンテナ装置２０の具体例＞
図３は、具体的なアンテナ装置２０の構成を示す図である。図３に示すように、アンテナ装置２０は、プリント基板３１の表面（＋Ｙ方向の面）にグランド３０及びアンテナ素子２１がプリントされるとともに、プリント基板３１の裏面（−Ｙ方向の面）にアンテナ素子２１に対して並列配置される無給電の共振アンテナ素子２２がプリントされる。
【００３０】
図３では２つの共振アンテナ素子２２が形成されており、各共振アンテナ素子２２は、アンテナ素子２１の長手方向（Ｚ方向）の軸に対して対称配置される。各共振アンテナ素子２２の長さＬ２は、アンテナ素子２１の長さＬ１とほぼ同じであるが、各共振アンテナ素子２２は無給電素子であるため、各共振アンテナ素子２２の長さＬ２は、共振条件を考慮してアンテナ素子２１の長さＬ１と異なる長さとなる。
【００３１】
なお、共振アンテナ素子２２とアンテナ素子２１との間の幅Ｗは、共振条件に応じて設定される。
【００３２】
また、各共振アンテナ素子２２は、アンテナ素子２１の長手方向（Ｚ方向）の中心に対して、長手方向（Ｚ方向）の中心を長手方向（Ｚ方向）ずらして配置され、アンテナ素子２１の送信電力集中をＺ方向にも分散している。なお、図３に示した各共振アンテナ素子２２は、アンテナ素子２１に対して−Ｚ方向にずらして配置されている。
【００３３】
図４は、図３に示したアンテナ装置２０に対してさらに共振アンテナ素子２２を追加したアンテナ装置４０の構成を示す図である。図４に示すように、アンテナ装置４０は、プリント基板３１の裏面に、共振アンテナ素子２２の外側（±Ｘ方向）にそれぞれ共振アンテナ素子２２がさらに追加されている。追加された共振アンテナ２２は、アンテナ素子２１の長手方向（Ｚ方向）の中心に対して、長手方向（Ｚ方向）の中心をさらに長手方向（−Ｚ方向）にずらして配置されている。このアンテナ装置４０は、アンテナ装置２０に比してさらにアンテナ素子２１の送信電力集中をさらに分散することができる。
【００３４】
なお、各共振アンテナ素子２２は、共振すればよく、整数倍の長さであってもよい。また、共振アンテナ素子２２は少なくとも１つ設ければよい。１つの共振アンテナ素子２２の配置でも、アンテナ素子２１による送信電力集中を分散できるからである。すなわち、共振アンテナ素子２２の配置は、アンテナ素子２１の長手方向（Ｚ方向）の軸に対して対称配置しなくてもよい。また、共振アンテナ素子２２は、アンテナ素子２１の長手方向（Ｚ方向）の中心に対して、長手方向（Ｚ方向）の中心を長手方向（Ｚ方向）にずらさなくてもよい。
【００３５】
また、上記の実施の形態では、モノポールアンテナを一例として説明したが、これに限らず、各種のアンテナ装置にも適用できる。特に、線状アンテナへの適用が有用である。
【００３６】
なお、上記の実施の形態及び変形例で図示した各構成は機能概略的なものであり、必ずしも物理的に図示の構成をされていることを要しない。すなわち、各装置及び構成要素の分散・統合の形態は図示のものに限られず、その全部又は一部を各種の使用状況などに応じて、任意の単位で機能的又は物理的に分散・統合して構成することができる。
【符号の説明】
【００３７】
１０  電子機器
１２  ヒンジ装置
１４  ディスプレイ筐体
１４ａ  下端部
１６  本体筐体
１６ａ  後端部
１８  ディスプレイ装置
１８ａ  表示面
１９  ベゼル部材
２０，２０ａ，４０  アンテナ装置
２１  アンテナ素子
２２  共振アンテナ素子
２４  カバー部材
２６  キーボード装置
２７  タッチパッド
３０  グランド
３１  プリント基板
Ｌ１，Ｌ２  長さ
Ｗ  幅
【図１】
2020036187.tif 000003
【図２】
2020036187.tif 000004
【図３】
2020036187.tif 000005
【図４】
2020036187.tif 000006